(57)【特許請求の範囲】
【請求項１】
パワーショベルのアームの先端に設けた支持軸に回動自在に軸支されるブラケットに固定された枠部材の内側に、該枠部材の対向する側壁に平行な複数の縦部材と該縦部材に対して直角方向に延びる複数の横部材とからなる枡目を設けたスケルトンバケットであって、
前記横部材は、前記側壁及び前記縦部材に同心になるように設けた複数の貫通孔に挿入されており、しかも、一方側の前記側壁の貫通孔を着脱可能な押さえ板によって覆い、他方側の前記側壁の貫通孔を補強板又は着脱可能な押さえ板によって覆っていることを特徴とするスケルトンバケット。
【請求項２】
請求項１記載のスケルトンバケットにおいて、前記縦部材は、前記枠部材に着脱可能に取付けられていることを特徴とするスケルトンバケット。
【発明の詳細な説明】
【０００１】
【発明の属する技術分野】
本発明は、玉石等が混じった土石類から玉石等を選別するための枡目を設けたスケルトンバケットに関する。
【０００２】
【従来の技術】
従来、パワーショベルを用いて整地した残土のガラ選別や河川の採石、土石類の玉石等の選別などを行う場合、パワーショベルのアームの先端に、枠部材の内側に縦部材と横部材からなる枡目を固定したスケルトンバケットを取付けて、土石類の選別作業を行っている。例えば、スケルトンバケットで土石類をすくって枡目の大きさより小さい土砂は枡目から落とし、枡目の大きさより大きい岩石等はスケルトンバケットに載せてパワーショベルによって、所定の岩石集積場に運搬したり、コンベアやトラックに積載している。
選別する岩石の大きさを変えるときは、枡目の大きさの異なるスケルトンバケットを準備し、岩石の選別サイズの変更の都度、それまで使用していたスケルトンバケットを外し、所望のピッチを持った枡目のスケルトンバケットをパワーショベルのアームに付け替えている。
【０００３】
【発明が解決しようとする課題】
しかしながら、上記従来の方法では、岩石の選別サイズを変更する場合、所望のピッチの枡目をもったスケルトンバケットを準備しなければならないが、スケルトンバケットは重量が大きく、占有面積も広いので、複数の種類のスケルトンバケットを保管しておく場所を確保することが難しく、また複数の種類のスケルトンバケットを準備するには多くの費用が掛かるという問題があった。
また、岩石の選別サイズの変更の都度、異なるピッチのスケルトンバケットに取替える作業をする必要があるが、取替え作業に多くの手間がかかるという問題があった。
本発明はこのような事情に鑑みてなされたもので、複数の種類のスケルトンバケットを準備することなく、安い費用で、簡単に枡目のピッチを変えることが可能なスケルトンバケットを提供することを目的とする。
【０００４】
【課題を解決するための手段】
前記目的に沿う本発明に係るスケルトンバケットは、パワーショベルのアームの先端に設けた支持軸に回動自在に軸支されるブラケットに固定された枠部材の内側に、枠部材の対向する側壁に平行な複数の縦部材と縦部材に対して直角方向に延びる複数の横部材とからなる枡目を設けたスケルトンバケットであって、横部材は、側壁及び縦部材に同心になるように設けた複数の貫通孔に挿入されている。
そのため、側壁及び縦部材に設けた複数の貫通孔のうち、所望の枡目のピッチになる貫通孔を選択して、その中に横部材を挿入することにより、簡単に縦部材と横部材により所望の枡目を形成することができる。
【０００５】
ここで、一方側の側壁の貫通孔を着脱可能な押さえ板によって覆い、他方側の側壁の貫通孔を補強板又は着脱可能な押さえ板によって覆っている。
この場合、一方側の押さえ板を外して、選択した貫通孔に横部材を一方側の側壁から挿入し、対向する他方側の側壁に設けた補強板に突き当てた状態で一方側の側壁に押さえ板を取付けるだけで、簡単に横部材をスケルトンバケットに取付けることができる。また、両側の側壁の貫通孔を押さえ板で覆っている場合には、どちら側からでも横部材を取付けることができる。このようにして、押さえ板を外して横部材を取付け又は取り外して、枡目のピッチを簡単に変えることが可能となる。
また、縦部材を、枠部材に着脱可能に取付けるようにしてもよい。
この場合、枡目の種類を多くすることができ、岩石等の選別作業のサイズの範囲を広くすることができる。
【０００６】
【発明の実施の形態】
続いて、添付した図面を参照しつつ、本発明を具体化した実施の形態につき説明し、本発明の理解に供する。
ここに、図１は本発明の第１の実施の形態に係るスケルトンバケットを示す斜視図、図２は同スケルトンバケットの組み立て途中の状態を示す斜視図、図３は本発明の第２の実施の形態に係るスケルトンバケットを示す斜視図である。
【０００７】
図１、図２に示すように、本発明の第１の実施の形態に係るスケルトンバケット１０は、パワーショベル（図示しない）のアームの先端に設けた支持軸に回動自在に軸支されるブラケット２０を固定した枠部材３０を設けている。枠部材３０はブラケット２０が固定された上部枠３１と、上部枠３１に対向する下部枠３２と、上部枠３１と下部枠３２をそれぞれ両端で連結する側枠３３、３４とからなって、四角形状の開口部３５を形成している。下部枠３２の前側には複数の爪３２Ａを設けている。側枠３３、３４の背部には輪郭が一部半円状の側板３６、３７を開口部３５に対して直角方向に向けて固定して、側枠３３と側板３６及び側枠３４と側板３７とがそれぞれ一体となった側壁３８、３９を形成している。上部枠３１と下部枠３２の内側には、対向する側壁３８、３９に平行な複数（図１では４個）の、側板３６、３７の輪郭とほぼ同じ形状に湾曲した縦部材４０が、それぞれ間隔を開けて溶接あるいはネジ等によって固着されている。縦部材４０を湾曲した形状にしているのは、多くの土石類を溜めて保持できるようにするためである。
【０００８】
側板３６、３７と各縦部材４０には、縦部材４０の輪郭に沿って間隔を開けて横方向（厚み方向）に開けられた複数個（図１、図２では１０個）の貫通孔５０を設け、側板３６に設けた貫通孔５０の中心と側板３７と各縦部材４０に設けた貫通孔５０の中心とが直線上に配置されて、それぞれ同心となるようにしている。各貫通孔５０には丸棒からなる横部材６０をそれぞれ挿入して、縦部材４０と縦部材４０に対して直角方向に延びる複数の横部材６０とからなる枡目を形成している。なお、横部材６０の長さは、側板３６と３７のそれぞれの外側面との間の長さに一致するか、僅かに短くなるようにしている。複数個の横部材６０の内、例えば２〜４個毎に（図１では３個毎に）配置された横部材６０は縦部材４０に溶接によって固定している。なお、横部材６０と縦部材４０を溶接で固定するのは、スケルトンバケット１０の強度を増すためで、大きな強度を要しない場合は、全部又は一部の溶接を省くことは可能である。側板３６には、貫通孔５０を囲むように切り抜いた切り抜き部７１を有する補強板７０を溶接又はネジによって固定してあり、側板３７には、貫通孔５０を覆う盲蓋である補強板８０を溶接又はネジによって固定している。切り抜き部７１には、貫通孔５０に挿入した横部材６０の飛び出しを抑える押さえ板７２を嵌入させ、ネジ７３によって側板３６に固定している。
【０００９】
図２に基づいて、横部材６０の組み立て工程を説明する。
先ず、側板３６の貫通孔５０に端から３個毎に横部材６０を挿入し、各縦部材４０及び側板３７の貫通孔５０を通し、補強板８０に突き当てる。この状態で横部材６０と縦部材４０を溶接で固定する。そして、押さえ板７２を切り抜き部７１に嵌入させ、ネジ７３によって側板３６に固定する。この状態で、横部材６０のピッチ、すなわち縦のピッチが大きい枡目のスケルトンバケット１０が形成される。
このようなスケルトンバケット１０に開口部３５から土石類を入れて、パワーショベルによってスケルトンバケット１０を揺動させることにより、枡目を通るものと通らないものとに分別することができる。
【００１０】
横部材６０のピッチ、すなわち縦のピッチが小さい枡目のスケルトンバケット１０を形成するときは、ネジ７３を外して押さえ板７２を切り抜き部７１から取り出し、側板３６の複数の貫通孔５０の内、空いている貫通孔５０にそれぞれ横部材６０を挿入し、各縦部材４０及び側板３７の貫通孔５０を通し、補強板８０に突き当てる。次に、押さえ板７２を切り抜き部７１に嵌入させ、図１に示すように、ネジ７３によって着脱可能に側板３６に固定する。
この状態で、横部材６０のピッチが小さい枡目のスケルトンバケット１０が形成されるが、次に横部材６０のピッチの大きい枡目にするときは、押さえ板７２を切り抜き部７１から取り出し、挿入した横部材６０を抜取り、押さえ板７２を切り抜き部７１に嵌入して取付ければよい。
なお、図１に示した第１の実施の形態に係るスケルトンバケット１０では１０個の横部材６０を設けた例について説明したが、横部材６０の個数は１０個に限るものではなく、処理する土石の種類によって増減できる。
また、第１の実施の形態に係るスケルトンバケット１０では側板３７には貫通孔５０を覆う補強板８０を取付けた例を示したが、盲蓋の補強板８０の代わりに、側板３７にも側板３６に設けた切り抜き部７１を有する補強板７０を取付け、押さえ板７２によって側板３７に設けた貫通孔５０を覆うようにしてもよい。
これにより、スケルトンバケット１０の両側から横部材６０の取付け、取外しが可能となり、横部材６０が変形したときなど、取り外し易い方の押さえ板７２を外して取外し作業を行うことができる。
【００１１】
図３に示すように、本発明の第２の実施の形態に係るスケルトンバケット１００は、前記第１の実施の形態に係るスケルトンバケット１０の隣り合う縦部材４０の間に複数の縦部材４００を着脱可能に取付けたものである。
すなわち、上部枠３１と下部枠３２の内側に設けた隣り合う縦部材４０の間に、縦部材４０の輪郭と同じ形状に湾曲した縦部材４００をそれぞれ間隔を開けてネジ４１０によって固着している。
これによって、縦部材４０と縦部材４００の間のピッチが小さくなり、縦横のピッチが小さい枡目のスケルトンバケット１００を形成することができる。
なお、縦部材４００を上部枠３１と下部枠３２から外せば、簡単に横のピッチが大きい枡目にすることができる。
また、図３に示した実施の形態では３個の縦部材４００を取付け、縦部材４０と合わせて７個の縦部材を設けた例について説明したが、縦部材の個数は７個に限るものではなく、処理する土石の種類によって増減できる。また、縦部材４００を上部枠３１と下部枠３２の内側にネジ４１０によって固定する代わりに、縦部材４００のいずれか一方の端部に係合部を設け、上部枠３１と下部枠３２のいずれか一方に係合させ、縦部材４００の他方の端部をネジによって固定するようにしてもよく、着脱可能に取付ける手段はネジに限るものではない。
【００１２】
【発明の効果】
請求項１、２記載のスケルトンバケットにおいては、枠部材の内側に、枠部材の対向する側壁に平行な複数の縦部材と縦部材に対して直角方向に延びる複数の横部材とからなる枡目を設け、横部材は、側壁及び縦部材に同心になるように設けた複数の貫通孔に挿入されているので、側壁及び縦部材に設けた複数の貫通孔のうち、所望の枡目のピッチになる貫通孔を選択して、その中に横部材を挿入するとにより、簡単に縦部材と横部材により所望のピッチの枡目を形成することができ、枡目の種類毎にスケルトンバケットを準備する必要がなくなり、コストを低減することができる。
【００１３】
また、一方側の側壁の貫通孔を着脱可能な押さえ板によって覆い、他方側の側壁の貫通孔を補強板又は着脱可能な押さえ板によって覆っているので、横部材が貫通孔から抜け出すことがなく、また、一方側又は両側の押さえ板を外して、簡単に横部材をスケルトンバケットに取付けることができる。横部材を取り外すときも同様に、一方側又は両側の押さえ板を外すことにより横部材の取外し作業が簡単にでき、作業工数の低減が可能となる。
特に、請求項２記載のスケルトンバケットにおいては、縦部材を、枠部材に着脱可能に取付けるようにしているので、枡目の種類を多くすることができ、岩石等の選別作業のサイズの範囲を広くすることができる。
【図面の簡単な説明】
【図１】本発明の第１の実施の形態に係るスケルトンバケットを示す斜視図である。
【図２】同スケルトンバケットの組み立て途中の状態を示す斜視図である。
【図３】本発明の第２の実施の形態に係るスケルトンバケットを示す斜視図である。
【符号の説明】
１０：スケルトンバケット、２０：ブラケット、３０：枠部材、３１：上部枠、３２：下部枠、３２Ａ：爪、３３、３４：側枠、３５：開口部、３６、３７：側板、３８、３９：側壁、４０：縦部材、５０：貫通孔、６０：横部材、７０：補強板、７１：切り抜き部、７２：押さえ板、７３：ネジ、８０：補強板、１００：スケルトンバケット、４００：縦部材、４１０：ネジ
【図１】
0003916341.tif 000002
【図２】
0003916341.tif 000003
【図３】
0003916341.tif 000004